(57)【要約】【課題】  複合サッシの下枠の構造改善により、下枠の熱絶縁性の向上、大型断熱障子の建て付けが可能な障子支持強度を確保する。【解決手段】  屋外側に面する金属製下枠と、金属製下枠の屋内側に露出する部分を被覆する樹脂製下枠とを結合してなる複合サッシの下枠において、外障子用レールを金属製下枠に一体に形成し、金属製下枠とは別体の金属製内障子用レールを形成し、樹脂製下枠に内障子用レールを固定して、内障子用レールを金属製下枠から熱絶縁した。【選択図】      図１
2005105566.tif 000002
【特許請求の範囲】
【請求項１】
屋外側に面する金属製下枠と、前記金属製下枠の屋内側に露出する部分を被覆する樹脂製下枠とを結合してなる複合サッシの下枠において、外障子用レールを前記金属製下枠に一体に形成し、前記金属製下枠とは別体の金属製内障子用レールを形成し、その内障子用レールを前記樹脂製下枠に固定して、前記内障子用レールを前記金属製下枠から熱絶縁したことを特徴とする複合サッシの下枠。
【請求項２】
樹脂製下枠は、金属製下枠の外障子用レールと屋内側立上がり壁とのほぼ中間位置において前記金属製下枠に固定されるレール保持部と、そのレール保持部と前記外障子用レールとの間に装着される外側カバー部と、前記レール保持部と少なくとも前記屋内側立上がり壁との間に装着される内側カバー部とからなり、前記レール保持部に内障子用レールが固定されていることを特徴とする請求項１に記載された複合サッシの下枠。
【請求項３】
内障子用レールとレール保持部は、これらを貫通させたねじを金属製下枠にねじ込むことにより固定されていることを特徴とする請求項２に記載された複合サッシの下枠。
【請求項４】
外側カバー部は、閉鎖位置にある外障子のほぼ全幅における外障子用レールと内障子用レールとの間の凹溝を遮蔽することを特徴とする請求項２又は３に記載された複合サッシの下枠。
【請求項５】
外側カバー部は、その上面に滴下した水を受け入れる集水部が設けられていることを特徴とする請求項２，３又は４に記載された複合サッシの下枠。
【請求項６】
金属製下枠の屋内側立上がり壁に、屋内方向に延出し、かつ屋外側端部において内側カバー部と連続する熱絶縁性を有する樹脂製下枠アタッチメントが設けられていることを特徴とする請求項１〜５のいずれかに記載された複合サッシの下枠。
【請求項７】
金属製下枠に、その屋内側面を被覆する樹脂製防露用アタッチメントが固定されていることを特徴とする請求項１〜５のいずれかに記載された複合サッシの下枠。
【請求項８】
防露用アタッチメントは、これに取付けられた弾性挟持体により下枠アタッチメントを挟持して固定して、下枠アタッチメントの高さを床の上面の高さに応じて調整可能にしてあることを特徴とする請求項７に記載された複合サッシの下枠。
【請求項９】
内側カバー部と下枠アタッチメントは一体に形成されていることを特徴とする請求項６に記載された複合サッシの下枠。
【発明の詳細な説明】
【技術分野】
【０００１】
本発明は、屋外側に面する金属製下枠と前記金属製下枠の屋内側に露出する部分を被覆する樹脂製下枠とを結合してなる複合サッシの下枠に関する。
【背景技術】
【０００２】
屋外側に面する金属製下枠と前記金属製下枠の屋内側に露出する部分を被覆する樹脂製下枠とを結合してなる複合サッシは、特許文献１により知られている。また、窓枠が金属枠とその金属枠の屋内側に露出する部分を覆う樹脂枠とからなり、窓枠に建て付けられる障子の框が金属框とその金属框の屋内側に露出する部分を覆う樹脂框とからなる複合サッシは、特許文献２により知られている。
【特許文献１】実公昭６３−４９４８１号公報
【特許文献２】特開平８−１７７３１７号公報
【発明の開示】
【発明が解決しようとする課題】
【０００３】
特許文献１に記載の複合サッシ（第１先行技術という。）及び特許文献２に記載の複合サッシ（第２先行技術という。）のいずれにおいても、窓枠を構成する上枠及び左右の縦枠においては、金属框から屋内空間への熱絶縁性は所期の効果が得られている。また、第１先行技術においては、下枠の内障子用レールが樹脂枠に一体に形成されているので、下枠における熱絶縁性もある程度の効果が得られるが、内障子用レールが樹脂製であるため障子支持強度に限界があるので、複層ガラスを用いる大型断熱障子を建て付ける断熱サッシには不向きである。
【０００４】
一方、第２先行技術においては、内外の障子用レールが金属枠に一体に形成されているので障子支持強度は充分であるが、内障子用レールが屋内空間に露出するため、下枠における屋外と屋内間の熱絶縁性が低下し、室内の空調負荷が増大したり、とくに冬季に内障子用レール及びその周辺に比較的多量の結露が発生したりする問題があった。結露水対策のためには、大きめの排水経路を設ける必要がある。そして、その大きめの排水経路のために、断熱サッシの気密性が損なわれるという問題があった。
【０００５】
本発明は、上記の点に鑑みて成されたものであり、その課題は、複合サッシの下枠の構造を改善することにより、下枠の熱絶縁性を向上するとともに、複層ガラスを用いる大型断熱障子の建て付けが可能な程度の障子支持強度を確保することにある。
【課題を解決するための手段】
【０００６】
上記の課題を解決するため、請求項１の発明は、屋外側に面する金属製下枠と、前記金属製下枠の屋内側に露出する部分を被覆する樹脂製下枠とを結合してなる複合サッシの下枠において、外障子用レールを前記金属製下枠に一体に形成し、前記金属製下枠とは別体の金属製内障子用レールを形成し、その内障子用レールを前記樹脂製下枠に固定して、前記内障子用レールを前記金属製下枠から熱絶縁したことを特徴としている。
【０００７】
請求項２の発明は、請求項１の複合サッシの下枠において、樹脂製下枠が、金属製下枠の外障子用レールと屋内側立上がり壁とのほぼ中間位置において前記金属製下枠に固定されるレール保持部と、そのレール保持部と前記外障子用レールとの間に装着される外側カバー部と、前記レール保持部と少なくとも前記屋内側立上がり壁との間に装着される内側カバー部とからなり、前記レール保持部に前記内障子用レールが固定されていることを特徴としている。
【０００８】
請求項３の発明は、請求項２の複合サッシの下枠において、内障子用レールとレール保持部は、これらを貫通させたねじを金属製下枠にねじ込むことにより固定されていることを特徴としている。
【０００９】
請求項４の発明は、請求項２又は３の複合サッシの下枠において、外側カバー部は、閉鎖位置にある外障子のほぼ全幅における外障子用レールと内障子用レールとの間の凹溝を遮蔽することを特徴としている。
【００１０】
請求項５の発明は、請求項２，３又は４の複合サッシの下枠において、外側カバー部が、その上面に滴下した水を受け入れる集水部が設けられていることを特徴としている。
【００１１】
請求項６の発明は、請求項１〜５のいずれかに記載された複合サッシの下枠において、金属製下枠の屋内側立上がり壁に屋内方向に延出し、かつ屋外側端部において内側カバー部と連続する熱絶縁性を有する樹脂製下枠アタッチメントが設けられていることを特徴としている。
【００１２】
請求項７の発明は、請求項１〜５のいずれかに記載された複合サッシの下枠において、金属製下枠に、その屋内側面を被覆する樹脂製防露用アタッチメントが固定されていることを特徴としている。
【００１３】
請求項８の発明は、請求項７の複合サッシの下枠において、防露用アタッチメントは、これに取付けられた弾性挟持体により下枠アタッチメントを挟持して固定して、下枠アタッチメントの高さを床の上面の高さに応じて調整可能にしてあることを特徴としている。  
【００１４】
請求項９の発明は、請求項６の複合サッシの下枠において、内側カバー部と下枠アタッチメントが一体に形成されていることを特徴としている。
【発明の効果】
【００１５】
請求項１の発明によれば、外障子用レールはこれを金属製下枠に一体に形成し、その金属製下枠とは別体の金属製内障子用レールを形成し、これを樹脂製下枠に固定することにより内障子用レールを金属製下枠から熱絶縁したので、第１に、複合サッシの下枠の屋外側と屋内側との間の断熱性が格段に向上した。第２に、複層ガラスを用いる大型重量障子の建て付けも可能である。
【００１６】
請求項２の発明によれば、金属製下枠の外障子用レールと屋内側立上がり壁との間の上面が外側カバー部とレール保持部と内側カバー部とによって被覆され、レール保持部に金属製の内障子用レールが固定されるので、金属製下枠の室内空気に対する接触率が減るので、断熱性が向上し、結露発生が一層抑制される。
【００１７】
請求項３の発明によれば、内障子用レールとレール保持部がこれらを貫通したねじにより金属製下枠に固定されるので、内障子用レールが金属製下枠に堅固に固定され、障子開閉時に加わる衝撃に充分に耐えることができる。
【００１８】
請求項４の発明によれば、外側カバー部は、閉鎖位置にある外障子のほぼ全幅における外障子用レールと内障子用レールとの間の凹溝を遮蔽するので、障子閉鎖状態において金属製下枠の屋内側に露出する面積が小さくなるので、断熱性を向上し、かつ、外障子用レールと内障子用レールに流下又は発生することがある結露水を外側カバー部と金属製下枠の上面との間を経て屋外側に排水することが可能である。
【００１９】
請求項５の発明によれば、外側カバー部の上面に滴下した水を受け入れる溝状又はテーパ面などの集水部が設けられているので、障子から滴下する又はレールに生じる結露水の排除が円滑になされる。
【００２０】
請求項６の発明によれば、樹脂性下枠アタッチメントにより、金属製下枠の屋内側立上がり壁と室内空気の間にも熱絶縁性が確保され、断熱サッシの断熱性が一層向上する。
【００２１】
請求項７の発明によれば、金属製下枠の屋内側面が樹脂製防露用アタッチメントにより被覆されるので、金属製下枠の屋内側面と窓開口枠を構成する窓台又は床材との間でも断熱され、窓台又は床材に対する結露水浸透が防止される。
【００２２】
請求項８の発明によれば、防露用アタッチメントは弾性挟持体により下枠アタッチメントを挟持して固定して下枠アタッチメントの高さが床の上面の高さに応じて調整可能にしてあるので、基礎から室内床面の上面までの高さが変わっても、あるいは下枠の高さ寸法又は立上がり壁の高さ寸法などが異なっても、共通の下枠アタッチメント及び防露用アタッチメント使用が可能であり、防露性能が維持される。
【００２３】
請求項９の発明によれば、内側カバー部と下枠アタッチメントは一体に形成されているので、製造が容易であり、装着手間も簡単になる。
【発明を実施するための最良の形態】
【００２４】
続いて、本発明の最良の実施の形態について説明する。
本発明による複合サッシの下枠は、基本的構成要素として、金属製下枠１０と、その金属製下枠の屋内側に露出する部分を被覆する樹脂製下枠２０とを結合してなっている。金属製下枠１０は、建物躯体に対する取付強度を確保するため、下枠Ａの屋外側端部から屋内側端部まで延在し、建物躯体に木ねじなどで固定するための屋外側取付部１１と屋内側取付部１２及び窓用複合サッシの場合はぜん板の上面至近位置まで、テラス用複合サッシの場合は床板の上面至近位置まで立ち上がる屋内側立上がり壁１３を一体に有している。  
【００２５】
本発明に係る複合サッシは、その中に引き違い障子が建て付けられるものであることを前提としている。その引き違い障子の建て付けのために下枠Ａには外障子用レール１４と内障子用レール３０が設けられるが、外障子用レール１４は金属製下枠１０に一体に形成されている。これに対して、内障子用レール３０は金属製下枠１０とは別体に形成されている。そして、その内障子用レール３０を樹脂製下枠２０に取付けることにより、屋外空気に晒される金属製下枠１０と室内空気に接触する内障子用レール３０との間の熱伝導が遮断（熱絶縁）されている。
【００２６】
樹脂製下枠２０は、これに内障子用レール３０を安定して結合することができ、かつ、金属製下枠１０の屋内側露出部分を被覆することができるならば、その形状構造は不問である。樹脂製下枠２０は、金属製下枠１０の外障子用レール１４と屋内側立上がり壁１３とのほぼ中間位置において前記金属製下枠に固定されるレール保持部２１と、そのレール保持部と外障子用レール１４との間に装着される外側カバー部２２と、レール保持部２１と少なくとも屋内側立上がり壁１３との間に装着される内側カバー部２３とからなっている。このような樹脂製下枠２０は、屋外側端部から屋内側端部まで一体に形成されることも可能であり、また、樹脂製下枠２０の成形容易性、金属製下枠１０に対する装着容易性及び内障子用レール３０の取付容易性の観点から複数に分割形成して、一体的に接続又は連結するようにしてもよい。
【００２７】
内障子用レール３０の取付及び金属製下枠１０に対する固定を容易にするため、樹脂製下枠２０は、レール保持部２１と外側カバー部２２と内側カバー部２３とに三分割して形成し、レール保持部２１に断面Ｌ字形に形成した内障子用レール３０をその底辺において安定して当接し、内障子用レール３０の底辺とレール保持部２１に貫通したねじＳを金属製下枠１０にねじ込んで固定することが良い。その後に、外側カバー部２２と内側カバー２３を容易に装着することができる。
【実施例１】
【００２８】
次に、図１及び図２に基づいて、第１実施例について詳細に説明する。図１は本発明の第１実施例になる窓用複合サッシ用下枠の断面図、図２は図１の下枠を用いた窓用複合サッシＷＳを建物に取付けた状態における下枠を中心とする縦断面図である。
金属製下枠１０は、屋内側立上がり壁１３の外側に溝１５を有し、その溝の屋外側の縦壁１６ａの上端部から屋外方向に延びる上壁１７を有し、その上壁の屋外側部分の上面に外障子用レール１４が形成され、上壁１７の屋外側端部に網戸用レール１８が形成されている。屋内側立上がり壁１３の溝１５底部より屋内側下方に斜めに延びる屋内側取付部１２が形成されている。そして、溝１５の底部を形成する下壁１９は金属製下枠１０の屋外側端部まで排水性能が得られるように緩やかな傾斜を持って形成されており、上壁１７と下壁１９の間に少なくとも一つの中空部110 ，111 が形成れている。また、下壁１９の屋外側部分の下側にもう一つの中空部112 が形成され、その中空部の屋内側端部にこの下枠を建物躯体に固定するための屋外側取付部１１が垂設されている。
【００２９】
金属製下枠１０の屋内側露出部分と室内空気との間の熱還流率を低減するため、屋内側立上がり壁１３と外障子用レール１４との間に樹脂製下枠２０が装着されている。この樹脂製下枠２０は、レール保持部２１と、外側カバー部２２と、内側カバー部２３とに三分割して形成されている。レール保持部２１は、金属製下枠１０に対して堅固に固定されるように所要の強度を備える断面形状を有し、その上面に金属製の内障子用レール３０を安定して嵌合できる凹溝が形成されている。そして、内障子用レール３０を断面Ｌ字形に形成して、その底部を前記凹溝に嵌合して仮固定できるようになっている。さらに、レール保持部２１はその底部の屋内外方向の少なくとも一方に突出する下部係止縁２１ｂを有し、また、レール保持部２１の屋内側端部に屋内方向に突出する上部係止縁２１ａが設けられている。
【００３０】
一方、金属製下枠１０の上壁１７の屋内側部分にもレール保持部２１の底部の下部係止縁２１ｂ及び他端部を嵌合して係止することができる凹溝１７ａが形成されている。これにより、金属製下枠の上壁１７の凹溝にレール保持部２１を嵌合により仮固定した後、そのレール保持部２１の凹溝に内障子用レール３０の底部を嵌合により仮固定することができる。又は、予め内障子用レール３０を仮固定したレール保持部２１を金属製下枠１０の上面に仮固定することができる。その後、内障子用レール３０の底部とレール保持部２１の底部にねじＳを貫通し、金属製下枠の上壁１７にねじ込むことにより、内障子用レール３０とレール保持部２１とを金属製下枠１０に堅固に固定することができる。レール保持部２１と内障子用レール３０は、金属製下枠１０の全長に沿って延長している。
【００３１】
外側カバー部２２は、内外障子用レール１４，３０間の幅とほぼ等しい幅を有し、その屋内側端部と屋外側端部にそれぞれ係止爪２２ａ，２２ｂを有し、その幅方向中間部に下方に延びる支持壁２２ｃを有し、その下端部に屋内方向に屈曲された係止爪２２ｄを有している。そして、幅方向両端部の係止爪２２ａ，２２ｂをそれぞれ内外障子用レール１４，３０に設けた突縁又は凹条に係合し、支持壁下端部の係止爪２２ｄを下枠の上壁の幅方向中間部に形成された溝１７ｂに係合することにより、固定されている。
【００３２】
内側カバー部２３は、内障子用レール３０から金属製下枠１０の屋内側立上がり壁１３まで延長する幅を有し、その屋外側端部付近及び屋内側立上がり壁に対応する位置の下面にそれぞれ屋外方向及び屋内方向に突出する係止縁２３ａ，２３ｂが形成されており、内側カバー部２３の屋外側端部を内障子用レール３０に当接された状態でこれを下方に押下して、各係止縁２３ａ，２３ｂをそれぞれレール保持部２１の上部係止縁２１ａ及び屋内側立上がり壁１３に形成されている係止縁１３ａに係合することにより、固定されている。内側カバー部２３の屋内側端部は屋内側立上がり壁１３の上端部で終止しても良いが、この内側カバー部２３の窓のぜん板に対する固定を容易にできるように、図示の例では、内側カバー部２３の屋内側端部に屋内側立上がり壁１３の上端部を越える位置まで延出する樹脂製下枠アタッチメント２４が一体に成形されている。
【００３３】
外側カバー部２２の上面には集水部２２ｅが設けられている。図示の例では、幅方向両端部の係止爪２２ａ，２２ｂの間の部分が屋外側に緩やかに下り傾斜されて、Ｌ型溝状の集水部２２ｅが形成されている。内側カバー部２３にも、溝１５の上面を閉塞する部分において係止縁２３ａ，２３ｂの間の部分を屋外側に適宜傾斜させることにより集水部２３ｃが形成されている。これらの集水部の断面形状は任意である。
【００３４】
金属製下枠１０の屋内側立上がり壁１３の屋内側面には、これを被覆する樹脂製防露用アタッチメント４０が、例えば屋内側立上がり壁１３の屋内側面に形成されたビスホール１３ｂを利用して、下枠アタッチメント２４に形成された対向する一対の係止縁４１を弾性的に嵌合して、容易に脱落しないように装着されている。
【００３５】
図１において、樹脂製下枠２０の外側カバー部２２は、少なくとも金属樹下枠１０の閉鎖位置の外障子の全長に対応する位置に設けられている。外側カバー部２２を閉鎖位置の外障子の全長に対応する長さにした場合は、外側カバー部２２の障子召し合わせ部側の端部が小口塞ぎ材（図示省略）により密閉される。これに対して、レール保持部２１及び内障子用レール３０、内側カバー部２３並びに下枠アタッチメント２４は下枠Ａのほぼ全長に渡って延長されている。
【００３６】
図１に例示された下枠Ａは、本発明を窓用複合サッシＷＳに適用した場合のものである。このような形状構造を有する下枠を備えたサッシを建物躯体に取付ける場合は、図２に示すように、下枠Ａの屋内側取付部１２を窓台６０の上面に載せ、屋外側取付部１１を窓台６０の屋外側面に当接して、各取付部１１，１２から木ねじｓ１，ｓ２を窓台６０にねじ込み、下枠アタッチメント２４から木ねじｓ３をぜん板６１にねじ込むことにより、下枠Ａを躯体に固定する。５０は下枠アタッチメント２４をぜん板６１に固定した木ねじｓ３を隠蔽する樹脂製端部カバーである。
【００３７】
図２において、Ｄ１，Ｄ２は外側障子用レール１４及び内側障子用レール３０にそれぞれ建て付けられた引き違い障子を構成する断熱外障子及び断熱内障子であり、Ｄ３は網戸用レール１８に建て付けられた網戸である。６２は防水シート、６３は外壁Ｗの外装材、６４は外壁Ｗの内装材である。
【００３８】
同じく、図２において、７１は内側カバー部２３の長手方向に離間した複数箇所に設けられた孔に装着された排水弁であり、７２は下枠の上壁１７に外障子用レール１４と係止溝１７ｂの間において下枠の長手方向に離間した複数箇所に設けられた孔に装着された排水弁であり、７３は下枠の上壁１７と下壁１９の屋外側端部を繋ぐ縦壁１６ｃに下枠の長手方向に離間した複数箇所に設けられた孔に装着された排水弁である。そして、縦壁１６ａ，１６ｂにその長手方向に離間した複数箇所に通水孔（図示省略）が形成されている。このように下枠Ａ内には結露水排水経路が形成されている。
【００３９】
これにより、図２に白抜き矢印で示されているように、内障子Ｄ２の室内面から樹脂製下枠２０の内側カバー部２３の上面に滴下して集水部２３ｃに集合した結露水は、排水弁７１から溝１５に流下し、下壁１９の上面を屋外方向に誘導されて排水弁７３から屋外に排出される。また、内障子Ｄ２の室外面から流下する雨水は、下枠１０の上壁１７の内外障子用レール３０，１４の間の凹溝から外障子用レール１４の端部に形成してある水抜き孔（図示省略）、上壁１７の上面及び網戸用レール１８の端部に形成してある水抜き孔（図示省略）から排水される。他方、外障子Ｄ１の室内面に結露して樹脂製下枠２０の外側カバー部２１の上面に滴下した結露水は、図２に塗り潰し矢印で示されているように、外側カバー部２２に形成されている集水部２２ｅに集合し、その集水部の長手方向端部から下枠１０の上壁１７の内外障子用レール３０，１４の間の凹溝に流下し、以後、内障子の室外面を流下した雨水と同様に上壁１７の上面、外障子用レール１４の端部及び網戸用レール１８の端部に形成してある水抜き孔から排出される。
【００４０】
外側カバー部２２を閉鎖位置の外障子の全長に対応する長さにした場合は、下枠１０の閉鎖位置に存在する内障子よりも屋外側の外障子用レール１４と内障子用レール３０の間の上面に降った雨は、上壁１７の上面を下枠の長手方向に流れ、外障子用レール１４の端部及び網戸用レール１８の端部水抜き孔から排出される。
【実施例２】
【００４１】
続いて、図３及び図４に基づいて第２実施例について説明する。
図３は本発明の第２の実施例になるテラス用複合サッシの下枠Ｂの断面図、図４は図３の下枠Ｂを用いたテス用複合サッシＴＳを建物に取付けた状態における下枠を中心とする縦断面図である。
【００４２】
第２実施例の樹脂製下枠２０Ｅの構造は、基本的に第１実施例の窓用複合サッシのものと同一であり、金属製下枠１０Ｅはテラス用サッシ用に構成された例である。従って、先の実施例と異なる部分について説明し、同一部分についての説明は省略する。
図３における金属製下枠１０Ｅは、上壁１７と下壁１９が第１実施例における金属製下枠１０の上壁１７と下壁１９とほぼ同様に形成されているが、下側中空部112 を形成する最下壁113 を縦壁１６ａの下方延長部１６ａ′まで延長して接続することにより、金属製下枠の強度をさらに大きくし、かつ、その下枠の高さを高くしてある。また、最下壁113 の屋内側延長部分に屋内側取付部１２Ｅを形成することにより、屋内側取付部１２Ｅから下枠アタッチメント２４Ｅの水平部までの高さＨをテラス出入口における躯体基礎６０Ｅから室内床面６１Ｅまでの高さと等しくしてある。
【００４３】
テラス用サッシＴＳにおいても、樹脂製防露用アタッチメント４０Ｅが装着されるが、テラス用サッシＴＳにおいては、躯体基礎６０Ｅから室内床面６１Ｅの上面までの高さＨが建物により異なる。この実施例は、この高さＨの違いに拘らず同一構成部材の使用を可能にするように工夫が施されている。すなわち、第１に下枠アタッチメント２４Ｅを内側カバー部２３と別体に、かつ、断面倒立Ｌ字形に形成して、下枠アタッチメント２４Ｅの上下移動を可能に構成してある。第２に、防露用アタッチメント４０Ｅを断面ほぼＬ字形に形成し、その垂直部に下枠アタッチメント２４Ｅの垂直部を当接した状態で相対移動を可能にしてある。そして、第３に下枠アタッチメント２４Ｅの垂直部と防露用アタッチメント４０Ｅの垂直部を当接した状態で固定する部材８０を備えた。この固定部材は、好ましくは鋼製の弾性挟持部材で構成されている。
【００４４】
続いてさらに詳述すると、防露用アタッチメント４０Ｅは、Ｌ字形の水平部で屋内側取付部１２Ｅの上面を覆うとともに、屋内側取付部１２Ｅに形成されている凸条114 に嵌合して固定される凹条４２と、下壁１９の屋内側端部に突設された係止縁１９ａと嵌合して固定される凹条４３とを有しており、高さ方向中間部の屋内側面に互いに対向して開口する一対の溝４４を有し、さらに上方に延びる延長部４５を有している。一対の溝４４には適当な間隔をおいて複数個の弾性挟持部材８０を溝４４の長手方向端部から摺動して所要の位置に止めることにより、下枠の長手方向の複数箇所に備えられる。弾性挟持部材８０は防露用アタッチメント４０Ｅから屋内方向に屈曲されたのち上方に延び、上端部に屋内側に湾曲された挟持部８１を有している。
【００４５】
下枠アタッチメント２４Ｅは、その垂直部分の下端部を弾性挟持部材８０の挟持部８１と防露用アタッチメント４０Ｅの上方延長部４５との間に押入して、下枠アタッチメント２４Ｅの上部水平部分の屋外側端部を内側カバー部２３の屋内側端部に当接するとともに、下枠アタッチメント２４Ｅの垂直部分を金属製下枠の屋内側立上がり壁１３の上部屋内側面に当接してこれを被覆する。これにより、金属製下枠１０Ｅの屋内側面の全てが樹脂製下枠アタッチメント２４Ｅと防露用アタッチメント４０Ｅにより被覆されている。
【００４６】
上記テラス用サッシの下枠Ｂは、図４に示すように、屋外側取付部１１Ｅを基礎６０Ｅの屋外側面に当接し、屋内側取付部１２Ｅを同基礎６０Ｅの上面に載せて木ねじ又はビスｓ１，ｓ２を基礎６０Ｅにねじ込むことにより固定される。また、下枠アタッチメント２４Ｅがその水平部から木ねじｓ３を床板６１Ｅにねじ込むことにより、固定される。この場合、下枠アタッチメント２４Ｅは防露用アタッチメント４０Ｅに対して上下位置調整が可能であるので、基礎６０Ｅから室内床面６１Ｅの上面までの高さＨの多少の変動に対応することができ、あるいは下枠１０Ｅの高さ寸法又は屋内側立上がり壁１３の高さ寸法などが異なっても、常に適切な状態で床板上面に固定される。しかも、下枠アタッチメント２４Ｅは防露用アタッチメント４０Ｅと内側カバー部２３に常に密着されているので、防露性能が維持される。
【００４７】
この実施例における内外障子Ｄ１，Ｄ２に生じる結露水又は各障子の屋外側面を流下する雨水の排水経路は先の実施例の場合と同様であるので、説明を省略する。
【実施例３】
【００４８】
図５は第３実施例を示す縦断面図である。レール保持部と内障子用レールの結合構造及びレール保持部の金属製下枠に対する接続構造は、上記の例に限定されない。図５に示す例のように、レール保持部２１Ｅを金属製下枠１０Ｅ′の溝１５に上壁１７と溝１５の底部と屋内側立上がり壁１３を利用して安定して嵌合できる形態に形成してある。この実施例においては、レール保持部２１Ｅを単独でねじＳにより金属製下枠１０Ｅ′に固定している。レール保持部２１Ｅは、上方に開口し、内向き係止凸条を有する溝２１ｃを備えている。そして、溝２１ｃに金属製の内障子用レール３０Ｅの下部に形成した外向き係止突条を有する一対の脚３１を嵌合して、内向き係止突条と外向き係止突条とを互いに係合させて固定するとともに、脚の上部に形成された止め板３２を溝２１ｃの上端部に当接して安定状態で結合してある。
【００４９】
樹脂製下枠２０Ｅの外側カバー部２２及び内側カバー部２３、並びに樹脂製下枠アタッチメント２４Ｅは基本的には図３のものと同一であるが、図５の実施例においては、防露用アタッチメントと下枠アタッチメントとの結合を他の構成により実現している。すなわち、防露用アタッチメント４０Ｅ′は、その下端部が金属製下枠１０Ｅ′の屋内側取付部１２Ｅ及び係止縁１９ａに固定される構成は図３のものと同一であるが、防露用アタッチメント４０Ｅ′の係止縁１９ａよりも上方に延びる上方延長部４５が図３における弾性挟持部材８０の挟持部８１と類似の断面形状を有している。しかし、この例では、上方延長部４５は防露用アタッチメント４０Ｅ′の全長に渡って延在している。
【００５０】
そして、防露用アタッチメント４０Ｅ′の垂直部分の弾性を有する上方延長部４５により下枠アタッチメント２４Ｅが金属製下枠の屋内側面に押圧して当接されている。従って、この実施例でも、下枠アタッチメント２４Ｅが基礎上面と床面との間の距離に応じて調整可能である。
【実施例４】
【００５１】
図６はさらに樹脂製下枠の他の構成、防露用アタッチメントの他の構成例を示す。すなわち、樹脂製下枠２０Ｅ′は外障子用レール１４から屋内側立上がり壁１３まで凹溝状に形成され、その凹溝内にレール保持部２１Ｅ′が嵌合により固定され、そのレール保持部２１Ｅ′の屋外側部分の上側に外側カバー部２２Ｅを嵌合した後、レール保持部２１Ｅ′の上方に開口する溝に図５の内障子用レール３０Ｅを若干変形した形状の金属製内障子用レール３０Ｅを図５と同一の係合構造を用いて結合し、最後に内側カバー部２３Ｅを内障子用レール３０Ｅと金属製下枠１０Ｅ″の屋内側立上がり壁１３の間に嵌合して固定している。
また、防露用アタッチメント４０Ｅ″は金属製下枠１０Ｅ″の屋内側部分の断面形状に合わせて断面Ｌ字形に形成され、図３の場合と同様の構造により屋内側取付部１２Ｅと屋内側立上がり壁１３に摺動嵌合して固定されている。この場合も、下枠アタッチメント２４Ｅは防露用アタッチメント４０Ｅ″の一対の溝４４に嵌合保持された弾性挟持部材８０により挟持固定されている。
【００５２】
図５及び図６はテラス用サッシの下枠の例を示すが、窓用サッシの下枠にも適用できることはいうまでもない。
【産業上の利用可能性】
【００５３】
本発明に係る複合サッシの下枠は、屋内外の温度差が大きい地域に建てられる建物の断熱サッシ用に好適であるが、樹脂製下枠の材質を吸音性又は遮音性の高いものを選択することにより、屋外騒音に室内侵入を防止する場合に転用することができる。
【図面の簡単な説明】
【００５４】
【図１】本発明の第１実施例になる窓用複合サッシ用下枠の断面図。
【図２】図１の下枠を用いた窓用複合サッシを建物に取付けた状態における下枠を中心とする縦断面図。
【図３】本発明の第２の実施例になるテラス用複合サッシの下枠の断面図。
【図４】図３の下枠を用いたテラス用複合サッシを建物に取付けた状態における下枠を中心とする縦断面図。
【図５】第３実施例を示す縦断面図。
【図６】第４実施例を示す縦断面図。
【符号の説明】
【００５５】
Ａ，Ｂ，Ｃ，Ｄ  下枠
１０，１０Ｅ，１０Ｅ′，１０Ｅ″  金属製下枠
２０，２０Ｅ，２０Ｅ′            樹脂製下枠
１４    外障子用レール
２１，２１Ｅ，２１Ｅ′            レール保持部
２２，２２Ｅ                      外側カバー部
２３，２３Ｅ                      内側カバー部
２４，２４Ｅ                      樹脂製下枠アタッチメント
３０，３０Ｅ                      内障子用レール
４０，４０Ｅ                      樹脂製防露用アタッチメント
８０                              弾性挟持体
【図１】
2005105566.tif 000003
【図２】
2005105566.tif 000004
【図３】
2005105566.tif 000005
【図４】
2005105566.tif 000006
【図５】
2005105566.tif 000007
【図６】
2005105566.tif 000008